(57)【要約】  カートン（１５０）であって、背部パネル（１０）と、頂部パネル（２０）と、前部パネル（３０）と、底部パネル（４０）と、第１の端部パネル（１２，３２）と、第２の端部パネル（１４，３４）と、頂部パネル（２０）及び前部パネル（３０）に配置されて取出部／スタンド（１００）を画定する取出部／スタンドパターン（６０）であって、カートン（１５０）を、取出部／スタンド（１００）が取出口を与えると共にカートンを傾斜位置に支持する取出構造にすることができる取出部／スタンドパターン（６０）とを備えるカートン。【特許請求の範囲】
【請求項１】
カートンであって、
背部パネルと、
頂部パネルと、
前部パネルと、
底部パネルと、
第１の端部パネルと、
第２の端部パネルと、
前記頂部パネル及び前記前部パネル内に配置されて取出部／スタンドを画定する取出部／スタンドパターンであって、該カートンを、前記取出部／スタンドが取出口を与えると共に該カートンを傾斜位置に支持する取出構造にすることができる、取出部／スタンドパターンと
を備える、カートン。
【請求項２】
前記取出部／スタンドパターンは、頂部取出部／スタンドパネルと、折り曲げ可能に接続される複数の前部取出部／スタンドパネルを画定する、請求項１に記載のカートン。
【請求項３】
前記取出部／スタンドパターンは、前記前部パネルに折り曲げ可能に取り付けられたまま残しながら、前記取出部／スタンドを前記頂部パネルから、及び前記前部パネルの部分から引き裂くことができるようにする、請求項１又は２に記載のカートン。
【請求項４】
前記底部パネル内に少なくとも１つの保持構成要素部をさらに備え、該少なくとも１つの保持構成要素部は、前記取出部／スタンドの一部分に係合することができる寸法及び配置になっている、請求項１〜３のいずれか１項に記載のカートン。
【請求項５】
前記頂部パネル及び前記第１の端部パネル間の第１のダイヤモンド形隅部パネルと、
前記頂部パネル及び前記第２の端部パネル間の第２のダイヤモンド形隅部パネルと
をさらに備える、請求項１〜４のいずれか１項に記載のカートン。
【請求項６】
前記第１の端部パネルは、複数の第１の端部フラップを有し、前記第２の端部パネルは、複数の第２の端部フラップを有する、請求項５に記載のカートン。
【請求項７】
前記カートン内に収容される複数の容器であって、該容器は、前記頂部パネルにほぼ平行に延びる長軸を有する、複数の容器をさらに備える、請求項６に記載のカートン。
【請求項８】
前記取出部／スタンドパターンは、少なくとも１つのタブ切り欠きを画定する、請求項５又は６に記載のカートン。
【請求項９】
前記カートン内に収容される複数の容器であって、該容器は、前記頂部パネルにほぼ平行に延びる長軸を有する、複数の容器をさらに備える、請求項１〜８のいずれか１項に記載のカートン。
【請求項１０】
カートンを取出構造にする方法であって、
請求項４に記載のカートンを準備すること、
前記頂部取出部／スタンドパネルを前記頂部パネルから引き裂くこと、
前記前部取出部／スタンドパネルを前記前部パネルの一部分から引き裂くこと、及び
前記取出部／スタンドを前記少なくとも１つの保持構成要素部に係合させること
を含む、カートンを取出構造にする方法。
【請求項１１】
カートンブランクであって、
背部パネルと、
頂部パネルと、
前部パネルと、
底部パネルと、
少なくとも１つの第１の端部フラップと、
少なくとも１つの第２の端部フラップと、
前記頂部パネル及び前記前部パネル内に配置されて取出部／スタンドを画定する取出部／スタンドパターンであって、該取出部／スタンドパターンは、前記頂部パネル内に頂部取出部／スタンドパネルを、且つ、前記前部パネル内に折り曲げ可能に接続される複数の前部取出部／スタンドパネルを画定する、取出部／スタンドパターンと
を有する、カートンブランク。
【請求項１２】
前記取出部／スタンドパターンは、前記前部パネルに折り曲げ可能に取り付けられたまま残しながら、前記取出部／スタンドを前記頂部パネルから、及び前記前部パネルの部分から引き裂くことができるようにする、請求項１１に記載のカートンブランク。
【請求項１３】
前記底部パネル内に少なくとも１つの保持構成要素部をさらに備え、該少なくとも１つの保持構成要素部は、前記取出部／スタンドの一部分に係合することができる寸法及び配置になっている、請求項１１又は１２に記載のカートンブランク。
【請求項１４】
前記頂部パネル及び前記第１の端部パネル間の第１のダイヤモンド形隅部パネルと、
前記頂部パネル及び前記第２の端部パネル間の第２のダイヤモンド形隅部パネルと
をさらに備える、請求項１２又は１３に記載のカートンブランク。
【請求項１５】
前記取出部／スタンドパターンは、前記頂部パネル内に少なくとも１つのタブ切り欠きを画定する、請求項１２〜１４のいずれか１項に記載のカートンブランク。
【請求項１６】
カートン及び複数の物品であって、
背部パネルと、
頂部パネルと、
前部パネルと、
底部パネルと、
第１の端部パネルと、
第２の端部パネルと、
前記頂部パネル及び前記第１の端部パネル間の第１のダイヤモンド形隅部パネルと、
前記頂部パネル及び前記第２の端部パネル間の第２のダイヤモンド形隅部パネルと、
前記頂部パネル及び前記前部パネル内に配置されて取出部を画定する第１の取出部パターンであって、該カートンを、該取出部が取出口を与える取出構造にすることができる、第１の取出部パターンと、
前記頂部パネルにほぼ平行に延びる長軸を各々が有する複数の物品と
を備える、カートン及び複数の物品。
【請求項１７】
前記第１の取出部パターンは、前記頂部パネル内に頂部取出部パネルを、また、前記前部パネル内に前部取出部パネルを画定する、請求項１６に記載のカートン及び複数の物品。
【請求項１８】
前記第１の端部パネルは、複数の第１の端部フラップを有し、前記第２の端部パネルは、複数の第２の端部フラップを有する、請求項１６又は１７に記載のカートン及び複数の物品。
【請求項１９】
前記頂部パネル及び前記前部パネル内に第２の取出部を画定する第２の取出部パターンをさらに備える、請求項１６〜１８のいずれか１項に記載のカートン及び複数の物品。
【請求項２０】
カートンを取出構造にする方法であって、
請求項１７に記載のカートンを準備すること、
前記頂部取出部パネルを前記頂部パネルから引き裂くこと、及び
前記前部取出部パネルを前記前部パネルの一部分から引き裂くこと
を含む、カートンを取出構造にする方法。
【請求項２１】
前記底部パネルを下にして前記カートンを載置し、それにより、物品を供給することをさらに含む、請求項２０に記載のカートンを取出構造にする方法。
【請求項２２】
前記背部パネルを下にして前記カートンを載置し、それにより、物品を供給することをさらに含む、請求項２０に記載のカートンを取出構造にする方法。
【請求項２３】
カートンブランクであって、
背部パネルと、
頂部パネルと、
前記頂部パネルに折り曲げ可能に接続される前部パネルと、
底部パネルと、
少なくとも１つの第１の端部フラップと、
少なくとも１つの第２の端部フラップと、
前記頂部パネル及び前記前部パネル内に配置されて取出部を画定する第１の取出部パターンであって、該取出部パターンは、前記頂部パネル内に頂部取出部パネルを、且つ、前記前部パネル内に前部取出部パネルを画定する、第１の取出部パターンと
を備える、カートンブランク。
【請求項２４】
前記頂部パネル及び前記少なくとも１つの第１の端部フラップ間の第１のダイヤモンド形隅部パネルと、
前記頂部パネル及び前記少なくとも１つの第２の端部フラップ間の第２のダイヤモンド形隅部パネルと
をさらに有する、請求項２３に記載のカートンブランク。
【請求項２５】
前記頂部パネル及び前記前部パネル内に第２の取出部を画定する第２の取出部パターンをさらに有する、請求項２３又は２４に記載のカートンブランク。
【請求項２６】
カートン及び複数の物品であって、
背部パネルと、
頂部パネルと、
前部パネルと、
底部パネルと、
第１の端部パネルと、
第２の端部パネルと、
前記頂部パネル及び前記前部パネル内に配置されて取出部を画定する取出部パターンであって、該カートンを、該取出部が取出口を与える取出構造にすることができる、取出部パターンと、
前記頂部パネルにほぼ平行に延びる長軸を各々が有する複数の物品と
を備える、カートン及び複数の物品。
【請求項２７】
各物品は、前記背部パネルの近傍に底面を、また、前記前部パネルの近傍に頂部部分を有する、請求項２６に記載のカートン及び複数の物品。
【請求項２８】
前記頂部パネル及び前記第１の端部パネル間の第１のダイヤモンド形隅部パネルと、
前記頂部パネル及び前記第２の端部パネル間の第２のダイヤモンド形隅部パネルと、
前記底部パネル及び前記第１の端部パネル間の第３のダイヤモンド形隅部パネルと、
前記底部パネル及び前記第２の端部パネル間の第４のダイヤモンド形隅部パネルと
をさらに有する、請求項２６又は２７に記載のカートン及び複数の物品。
【請求項２９】
前記物品は、２段及び少なくとも４列に配置される瓶である、請求項２６〜２８のいずれか１項に記載のカートン及び複数の物品。
【発明の詳細な説明】
【技術分野】
【０００１】
［関連出願］
本願は、２００５年８月２日に出願された米国仮特許出願第６０／７０４，８３７号の優先権を主張し、その出願の全内容がこの参照により本明細書に援用される。
【背景技術】
【０００２】
ディスペンシングカートンは既知である。従来のカートンは一般的に、カートンの除去可能部分を画定する引き裂き線パターンを有する。その部分を除去するとき、その結果として生じる取出口を通して物品を取り出すことができる。しかしながら、従来のディスペンシングカートンは、カートン内に保持される物品を容易に取り出すことができない場合が多い。それらはまた、カートンが開封された後、カートン内の物品を十分に保持することができない、又は物品を取り出すことができる位置の数の点で融通性に欠ける場合もある。
【発明の開示】
【０００３】
本発明の第１の実施の形態によれば、カートンは、背部パネルと、頂部パネルと、前部パネルと、底部パネルと、第１の端部パネルと、第２の端部パネルと、頂部パネル及び前部パネル内に配置される取出部／スタンドパターンとを備える。取出部／スタンドパネルは、取出部／スタンドを画定する。カートンを、取出部／スタンドが取出口を与えると共にカートンを傾斜位置に支持する取出構造にすることができる。
【０００４】
第１の実施の形態によれば、カートンをその取出構造にすると、カートンは、カートン内に収容されている容器に容易に手が届くようにする。取出部／スタンドは、カートンの開放端部を持ち上げ、それにより、カートン内に収容されている物品を容易に見ると共に、カートンから取り出すことができる。持ち上げられた開放端部は、物品が開放端部を通してカートンから不用意に出ることも防止する。
【０００５】
本発明の第２の実施の形態によれば、カートンは、背部パネルと、頂部パネルと、前部パネルと、底部パネルと、第１の端部パネルと、第２の端部パネルと、頂部パネル及び第１の端部パネル間の第１のダイヤモンド形隅部パネルと、頂部パネル及び第２の端部パネル間の第２のダイヤモンド形隅部パネルと、頂部パネル及び前部パネル内に配置されて取出部を画定する取出部パターンとを備える。カートンを、取出部が取出口を与える取出構造にすることができる。
【０００６】
第２の実施の形態によれば、カートンをその取出構造にすると、カートンは、カートン内に収容されている容器に容易に手が届くようにする。カートンを別個の取出構造で使用することができ、これは、カートン用の保管スペースの１つ又は複数の寸法が限定される場合に便利である。開封されたカートンは、消費者がカートンの実質的にすべての内容物を見ることができるようにもする。
【０００７】
添付の図面を参照して以下の実施形態の詳細な説明を読めば、上述の利点及び他の利点、並びに種々のさらなる実施形態の利益が当業者には理解されるであろう。
【０００８】
慣習に従い、後述する図面の種々の特徴は必ずしも一定の縮尺で描かれていない。図面における種々の特徴及び要素の寸法は、本発明の実施形態をより明確に説明するために拡大又は縮小されている場合がある。
【発明を実施するための最良の形態】
【０００９】
本発明は、包括的には、物品の収容及び取り出しを行うためのカートンに関する。物品は、例えば飲料瓶、ＰＥＴ容器、ワイン瓶等の飲料容器、又は食料品の包装に用いられるもの等の他の容器も含むことができる。本発明の範囲を限定するためではなく例示のために、以下の詳細な説明では、カートンの実施形態内に配置されるものとして瓶の飲料容器について説明する。
【００１０】
図１は、本発明の第１の実施形態によるカートン１５０（図５に示す）を形成するために使用されるブランク８の外側の平面図である。ブランク８は、第１の横方向折り線２１で頂部パネル２０に折り曲げ可能に接続される背部パネル１０と、第２の横方向折り線３１で頂部パネル２０に折り曲げ可能に接続される前部パネル３０と、第３の横方向折り線４１で前部パネル３０に折り曲げ可能に接続される底部パネル４０とを有する。第４の横方向折り線５１で接着フラップ５０を背部パネル１０に折り曲げ可能に接続することができる。ブランク８は、長手方向中心線ＣＬで表されるように、長手方向の対称性を有してもよい。
【００１１】
背部パネル１０は、第１の背部端部フラップ１２及び第２の背部端部フラップ１４に折り曲げ可能に接続される。頂部パネル２０は、第１の頂部端部フラップ２２及び第２の頂部端部フラップ２４に折り曲げ可能に接続される。前部パネル３０は、第１の前部端部フラップ３２及び第２の前部端部フラップ３４に折り曲げ可能に接続される。第１の前部端部フラップ３２及び第２の前部端部フラップ３４は、折り曲げ可能に取り付けられる接着フラップ３６、３８を有してもよい。底部パネル４０は、第１の底部端部フラップ４２及び第２の底部端部フラップ４４に折り曲げ可能に接続される。カートン１５０を組み立てたとき（図５）、端部フラップ１２、２２、３２、４２がカートン１５０の第１の端部を閉鎖し、端部フラップ１４、２４、３４、４４がカートン１５０の第２の端部を閉鎖する。端部フラップ１２、２２、３２、４２は、ブランク８の第１の周辺領域に沿って延在し、端部フラップ１４、２４、３４、４４は、ブランク８の第２の周辺領域に沿って延在する。頂部端部フラップ２２、２４は、それぞれ斜め折り線２６、２８で折り曲げ可能であることができる。底部端部フラップ４２、４４は、それぞれ斜め折り線４６、４８で折り曲げ可能であることができる。
【００１２】
第１のダイヤモンド形隅部パネル１１０及び第２のダイヤモンド形隅部パネル１１２を頂部パネル２０の各側に形成してもよい。第１の隅部パネル１１０は、向き合ったくの字形折り線１１４、１１６によって画定されるほぼダイヤモンド形状を有することができる。第２の隅部パネル１１２も、向き合ったくの字形折り線１２０、１２２によって画定されるダイヤモンド形状を有することができる。第３のダイヤモンド形隅部パネル１３０及び第４のダイヤモンド形隅部パネル１３２を底部パネル４０の各側に形成してもよい。第３の隅部パネル１３０は、向き合ったくの字形折り線１３４、１３６によって画定されるほぼダイヤモンド形状を有することができる。第４の隅部パネル１３２も、向き合ったくの字形折り線１４０、１４２によって画定されるダイヤモンド形状を有することができる。
【００１３】
本発明の一態様によれば、ブランク８は、取出部／スタンドパターンを有してもよい。例えば、図１に示すブランク８は、組み立てられたカートン１５０（図５に示す）に取出部／スタンド１００を画定する取出部／スタンドパターン６０を有する。取出構造にしたとき、取出部／スタンド１００は、物品を供給することができる取出口を与えると共に、カートン１５０を傾斜位置（図１０〜図１２）に支持する。図示の実施形態では、取出部／スタンドパターン６０は、頂部パネル２０内に第１の引き裂き線６２、第２の引き裂き線６４及び第３の引き裂き線６６を有する。第４の長手方向引き裂き線７０及び第５の長手方向引き裂き線７２が、前部パネル３０を通って延びることができる。第１の引き裂き線６２、第２の引き裂き線６４、第３の引き裂き線６６、第４の長手方向引き裂き線７０及び第５の長手方向引き裂き線７２は、例えば、取出部／スタンド１００をカートン１５０の残りの部分から部分的に分離できるようにする引き裂き線でよい。図１〜図１３に示す例示的な実施形態において、引き裂き線６２、６４、６６、７０、７２は、切れ目／折り目線の形を有する引き裂き線であるが、他の破断可能な分断線を使用してもよい。
【００１４】
取出部／スタンドパターン６０はまた、取出部／スタンドパターン６０の第４の引き裂き線７０及び第５の引き裂き線７２間で前部パネル３０を通って延びる第１の横方向折り線７６、第２の横方向折り線７８及び第３の横方向折り線８０を有ことができる。第１の横方向折り線７６、第２の横方向折り線７８及び第３の横方向折り線８０と横方向折り線３１とは、互いにほぼ平行であり、取出部／スタンド１００内に頂部取出部／スタンドパネル１０２と、第１の前部取出部／スタンドパネル１０４、第２の前部取出部／スタンドパネル１０６及び第３の前部取出部／スタンドパネル１０８とを部分的に画定することができる。図１〜図１３に示す例示的な実施形態では、折り線７８、８０は切れ目／離間線であり、折り線３１、７６は折り目線である。しかしながら、他の形式の折り線をブランク８内に形成してもよい。
【００１５】
取出部／スタンドパターン６０はまた、カートンを組み立てた後の取出部／スタンドの除去を助ける少なくとも１つのタブ切り欠きを有することができる。例えば、図１に示す実施形態では、第１の湾曲タブ切り欠き８５及び第２の湾曲タブ切り欠き８７によって画定される第１のタブ８４及び第２のタブ８６を、第１の引き裂き線６２、第２の引き裂き線６４及び第３の引き裂き線６６の接合部分に形成してもよい。当業者であれば、タブ切り欠きを形成するために、さまざまな形状、例えば、円形、楕円形、三角形又は矩形を用いてもよいことを理解できるであろう。図１に示すように、対応の第１の保持構成要素部９４及び第２の保持構成要素部９６を底部パネル４０内に形成してもよい。保持構成要素部９４、９６は、組み立て済みカートン１５０がその取出構造にあるとき、それぞれ第１のタブ８４及び第２のタブ８６を受け取って保持することができるサイズ及び形状の切断線（複数可）から形成されてもよい。
【００１６】
次に、図１〜図４を参照しながら、カートン１５０を組み立てる例示的な方法を説明する。
【００１７】
図２を参照すると、ブランク８を横方向折り線４１及び２１を軸に折り曲げ、接着パネル５０を底部パネル４０に接着する。接着は、当業者には既知の任意の方法で行うことができる。例えば、糊を使用してパネル４０、５０を接着してもよい。
【００１８】
図３を参照すると、ブランク８は部分的に開かれ、それにより、ほぼ管状の形状を有する。端部フラップ２２、４２を内向きに折り曲げ、それにより、それらが管状のブランク形状の第１の開放端部を部分的に覆うようにする。次に、端部フラップ１２、３２を端部フラップ２２、４２の上に折り曲げる。第１の端部フラップ１２、２２、３２、４２の１つ又は複数を接着固定し、それにより、管状の形状の第１の端部を閉じるようにすることができる。例えば、接着フラップ３６を第１の背部端部フラップ１２に接着することができる。代替的に、又は追加的に、端部フラップ１２、３２の内側を端部フラップ２２、４２の外側に接着してもよい。同様にして、カートンの第２の端部を第２の端部フラップ１４、２４、３４、４４によって閉じることができる。
【００１９】
図４を参照すると、第１の端部フラップ１２、２２、３２、４２は、第１の端部パネル１６２を形成し、第２の端部フラップ１４、２４、３４、４４は、第２の端部パネル１６４を形成する。カートンの両端部を閉鎖する前の任意時に、容器Ｃ（図１０に示す）を部分的に形成されたカートン内に装填することができる。図５は、カートン１５０をその取出構造にする前の組み立て済みカートン１５０の斜視図である。取出部／スタンド１００は、頂部パネル２０及び前部パネル３０を横切って延在する。
【００２０】
次に、カートンを開封して取出構造にする例示的な方法を、図６〜図１２を参照しながら説明する。
【００２１】
図６を参照すると、取出部／スタンド１００の縁部を把持して、頂部パネル２０から上方へ引っ張ることができる。取出部／スタンド１００は、例えば、タブ８４、８６のいずれか一方又は両方で把持してもよく、取出部／スタンドパターン６０（図１に示す）を第１の引き裂き線６２、第２の引き裂き線６４及び第３引き裂き線６６に沿って引き裂き、それにより、取出部／スタンド１００の頂部パネル１０２を頂部パネル２０の残りの部分から引き裂いてもよい。図７は、取出部／スタンド１００の、頂部パネル２０から分離された頂部パネル１０２を示す。図８を参照すると、取出部／スタンド１００が折り線４１で前部パネル３０に折り曲げ可能に接続されるまで、取出部／スタンド１００を取出部／スタンドパターン６０の第４の引き裂き線７０及び第５の引き裂き線７２に沿ってさらに引き裂く。
【００２２】
図９を参照すると、カートン１５０を、その背部パネル１０を下にして置いて、取出部／スタンド１００を折り返し、それにより、それを底部パネル４０に部分的に重ねる。この位置で、第１のタブ８４及び第２のタブ８６を底部パネル４０内のそれぞれの保持構成要素部９４、９６に係合させてもよい。タブ８４、８６をそれらの対応の保持構成要素部９４、９６のスリットに押し込み、それにより、取出部／スタンド１００をその折り返し位置に固定する。図１０を参照すると、続いてカートン１５０を旋回させて、カートン１５０を取出部／スタンド１００によって上方に傾いた、又は傾斜位置に支持することができる。取出部／スタンド１００の第２の前部パネル１０６を内向きに押し込み、それにより、取出部／スタンド１００が折り線７８で内向きに折れ曲がって、第３の前部パネル１０８を前部パネル３０の残りの部分に押し付けるようにしてもよい。取出部／スタンド１００をカートン１５０から部分的に分離することにより、カートン内に取出口１０１が残る。この時、取出部／スタンド１００は傾斜取出構造にあり、それから容器Ｃを取出口１０１から供給することができる。
【００２３】
図１１は、カートン１５０をその傾斜取出位置に支持する取出部／スタンド１００を示し、底部パネル４０が取出部／スタンド１００によって支持面Ｓから持ち上げられている。図１２は、容器Ｃをカートン１５０から取出口１０１を通して供給しているところを示す。カートン１５０内の例示的な容器Ｃは、頂部パネル２０及び底部パネル４０にほぼ平行に延びる長軸を有する瓶である。容器Ｃの底面は背部パネル１０の近傍にあり、容器の頂部は前部パネル３０の近傍にある。容器Ｃの長軸はまた、取出口１０１の長さとほぼ整合し、それにより、容器Ｃを取出口１０１を通して容易に抜き出すことができる。
【００２４】
本実施形態によれば、カートン１５０は、カートン１５０をその取出構造にすると、カートン内に保持されている容器Ｃに手が届きやすくする。取出部／スタンド１００は、カートン１５０の開放端部を持ち上げ、それにより、容器Ｃを容易に見てカートンから取り出すことができる。カートン１５０の傾斜角度により、容器Ｃがカートン１５０から取出口１０１を通して不用意に出ないように確実にすることができる。開封されたカートン１５０はまた、消費者がカートンの実質的にすべての内容物を見えるようにする。
【００２５】
図１〜図１３に示す実施形態は、カートン１５０に第１の折り線７６及び第４の横方向折り線４１間に形成されるリップを有する。しかしながら、カートンをリップなしで構成することもできる。具体的に言うと、第１の折り線７６を第４の横方向折り線４１と同一の広がりになるように延ばすことができるであろう。
【００２６】
図１〜図１２で説明した実施形態に示すように、カートン１５０は、２段及び４列に配列された８本の飲料瓶を収容する。列数及び段数は、例えば、さまざまな数又は配列の容器Ｃを収容するように変更することができる。カートン１５０内に代替の容器形状を収容してもよい。例えば、本発明によるカートン内に缶を収容することもできる。
【００２７】
図１３は、本発明の第２の実施形態によるカートン３５０（図１４に示す）を形成するために使用されるブランクの平面図である。カートン３５０は、少なくとも２つの取出構造を有するであろう。ブランク２０８は、図１に示すブランク８にサイズ及び形状がほぼ似ていてもよく、したがって、カートン３５０は、図５に示すカートン１５０にサイズ及び形状がほぼ似ているであろう。したがって、図１３〜１６の同様な構成要素には、図１〜図１２のものと同様な参照符号を付けるが、図１３〜図１６の参照符号では、前に「２」又は「３」を付ける。しかしながら、カートン３５０をさまざまな取出構造にするために、カートン３５０は簡単に除去することができる取出部３００を有する。
【００２８】
第２の実施形態の一態様によれば、ブランク２０８は、組み立て済みカートン３５０（図１４に示す）に取出部３００を画定する取出部パターン２６０を有するであろう。図示の実施形態において、取出部パターン２６０は、頂部パネル２２０及び前部パネル２３０内に引き裂き線２６２、２６４、２６６、２６８、２７０、２７２、２７６を有する。引き裂き線２６２、２６４、２６６、２６８、２７０、２７２、２７６の１つ又は複数は、例えば、ブランク２０８の厚さを貫通するか、又は貫通しない切り込み又は離間スリットであることができる。例えば、引き裂き線２７０、２７２、２７６は、ブランク２０８の外面又は印刷面からブランク２０８の厚さを貫通しないか、又は貫通することができる。引き裂き線２６２、２６６、２６８は、ブランク２０８の内面からブランク２０８の厚さを貫通しないか、又は貫通することができる。引き裂き線２６４は、切れ目／離間線であるが、線２６２、２６４、２６６、２６８、２７０、２７２、２７６のいずれを形成するためにも、他の破断可能な分断線を使用することができる。
【００２９】
カートン３５０は、カートン１５０と同様にしてブランク２０８から構成されることができる。図１４は、カートンをその取出構造にする前のカートン３５０の斜視図である。取出部３００は、頂部パネル２２０及び前部パネル２３０を横切って延在する。
【００３０】
図１５は、カートン３５０が底部パネル２４０を下にして「水平」取出構造にあるところを示す。取出部３００をカートン３５０から取出部パターン２６０に沿って引き裂くことにより、カートン３５０を開封して取出構造にすることができる。引き裂きは、例えば、頂部パネル２２０内のタブ２８４、２８６のいずれか一方で開始してもよい。取出部３００を少なくとも部分的に引き裂いた後、カートン３５０内に取出口３０１が残る。図１６は、カートン３５０が、背部パネル２１０を下にして置いた代替の「垂直」又は「直立」取出構造にあるところを示す。例示的な容器Ｃの長軸は、取出口３０１の長さに整合し、容器Ｃを容易に取り出せるようにしている。
【００３１】
本実施形態によれば、カートン３５０は、その取出構造にすると、カートン内に保持されている容器Ｃに容易に手が届くようになる。開封されたカートン３５０を異なった取出構造に位置付けて手が届くようにすることができ、カートン用の保管スペースが特定寸法に限定される場合、これは便利である。例えば、カートン３５０を水平取出構造で背の低い保管スペース内に保管することができる。浅い、又は幅が狭い保管スペースの場合、例えば冷蔵庫のドアでは、直立取出構造を使用することができる。開封されたカートン３５０は、消費者がカートンの実質的にすべての内容物を見ることができるようにもする。
【００３２】
図１７は、本発明の第３の実施形態によるカートン５５０（図１８に示す）を形成するために使用されるブランク４０８の平面図である。ブランク４０８は、ブランク８及び図１３に示すブランク２０８に寸法及び形状がほぼ似ていてもよく、したがって、カートン５５０は、カートン１５０、３５０に寸法及び形状がほぼ似ているであろう。したがって、図１７〜２０の同様な構成要素には、図１３〜図１６のものと同様の参照符号を付けるが、図１７〜図２０の参照符号では、前に「４」、「５」又は「６」を付ける。カートン５５０は、カートン５５０を異なった取出構造にするために別個に除去することができる２つの別個の取出部５００、６００を有する。
【００３３】
図１７を参照すると、ブランク４０８は、長手方向中心線ＣＬに関して互いにほぼ対称的であることができる第１の取出部５００及び第２の取出部６００を画定する第１の取出部パターン４６０及び第２の取出部パターン４６１を有する。ブランク４０８内の第１の取出部５００及び第２の取出部６００は、図１３に示す取出部３００に形状及び機能がほぼ似ているであろう。
【００３４】
ブランク４０８は、上述したカートン１５０、３５０と同様にして、カートン５５０に組み立てられることができる。図２０は、組み立て済みカートン５５０の斜視図である。取出部５００、６００はそれぞれ、カートン５５０の頂部パネル４２０及び前部パネル４３０を横切って延在する。
【００３５】
図１９及び図２０は、取出構造に置かれているカートン５５０を示す。取出部５００、６００は、例えば、それぞれタブ４８４、５８４で開かれて、取出部パターン４６０、４６１に沿って引き裂かれるであろう。取出部５００、６００の各々を個別に開いてもよく、又は図２０に示す構成を得るために、両方を開いてもよい。図２０に示すように、容器Ｃは、取出口を通して取り出されるであろう。カートン３５０を旋回させ、それにより、背部パネル４１０を下にして支持されるようにした「直立」位置、又は図２０に示す「水平」位置のいずれか一方で、カートン５５０の供給を行ってもよい。
【００３６】
上記実施形態において、さまざまな容器形状に適応するために、ブランクの寸法を変更してもよい。本発明の取出部の実施形態は、例えば、瓶、缶、それらの組み合わせ、又は他の容器を収容するカートンによって具現されることができる。容器の数及び配列も変更することができる。
【００３７】
本発明によるブランクは、例えば、塗工板紙、ＳＵＳボード及び同様の材料から形成することができる。例えば、ブランクの内面及び／又は外面をクレー膜でコーティングすることができる。続いて、クレー膜全体に製品、広告、価格コード及び他の情報又は画像を印刷してもよい。続いて、ブランク上に印刷されたすべての情報を保護するために、ブランクをワニスでコーティングしてもよい。ブランクは、例えば、ブランクの片面又は両面を防湿層でコーティングすることもできる。ブランクは、選択されたパネル又はパネルセクションに１つ又は複数のシート状材料を積層又はコーティングすることもできる。
【００３８】
本明細書に提示する説明の目的のために、「分断線」という用語は、ブランクに形成される切断線、折り目線、引き裂き線又は折り線（又はそれらの組み合わせ）を包括的に指すために使用されることができる。「破断可能な」分断線は、カートンの通常の使用中に破断することが意図される分断線である。破断可能な分断線の一例が、引き裂き線である。
【００３９】
本発明の上記実施形態によれば、折り線は、任意のほぼ線形であるが、必ずしもまっすぐでない分断線、又はそれに沿って折り曲げやすくする他の脆弱線の形であることができる。
【００４０】
本明細書において、「パネル」又は「フラップ」は、平坦又は言い換えると平面的である必要はない。「パネル」又は「フラップ」は、例えば、相互接続されるほぼ平坦又は平面的な複数の部分を有することができる。
【００４１】
上記の実施形態は、糊によって互いに貼り合わせられる１つ又は複数のパネルを有するものとして説明されている場合がある。「糊」という用語は、板紙カートンパネルを所定位置に固定するのに一般的に用いられるあらゆる種類の接着剤を包含することが意図される。
【００４２】
本説明は、本発明を本明細書に開示されている形に制限する意図はない。また、添付の特許請求の範囲は、詳細な説明に明確に定義されてはいない代替実施形態を含むと解釈されることを意図する。
【図面の簡単な説明】
【００４３】
【図１】本発明の第１の実施形態によるカートンを形成するために使用されるブランクの平面図である。
【図２】第１の実施形態によるカートンの組み立てを説明する斜視図である。
【図３】第１の実施形態によるカートンの組み立てを説明する斜視図である。
【図４】第１の実施形態によるカートンの組み立てを説明する斜視図である。
【図５】第１のカートンの実施形態の斜視図である。
【図６】第１のカートンの実施形態を取出構造にしているところを示す図である。
【図７】第１のカートンの実施形態を取出構造にしているところを示す図である。
【図８】第１のカートンの実施形態を取出構造にしているところを示す図である。
【図９】第１のカートンの実施形態を取出構造にしているところを示す図である。
【図１０】第１のカートンの実施形態を取出構造にしているところを示す図である。
【図１１】取出構造の第１のカートンの実施形態を示す図である。
【図１２】取出構造の第１のカートンの実施形態を示す図である。
【図１３】本発明の第２の実施形態によるカートンを形成するために使用されるブランクの平面図である。
【図１４】第２のカートンの実施形態の斜視図である。
【図１５】水平取出構造の第２のカートンの実施形態を示す図である。
【図１６】直立取出構造の第２のカートンの実施形態を示す図である。
【図１７】本発明の第３の実施形態によるカートンを形成するために使用されるブランクの平面図である。
【図１８】第３のカートンの実施形態の斜視図である。
【図１９】第３のカートンの実施形態を取出構造にしているところを示す図である。
【図２０】水平取出構造の第３のカートンの実施形態を示す図である。
【図１】
2009502687.tif 000002
【図２】
2009502687.tif 000003
【図３】
2009502687.tif 000004
【図４】
2009502687.tif 000005
【図５】
2009502687.tif 000006
【図６】
2009502687.tif 000007
【図７】
2009502687.tif 000008
【図８】
2009502687.tif 000009
【図９】
2009502687.tif 000010
【図１０】
2009502687.tif 000011
【図１１】
2009502687.tif 000012
【図１２】
2009502687.tif 000013
【図１３】
2009502687.tif 000014
【図１４】
2009502687.tif 000015
【図１５】
2009502687.tif 000016
【図１６】
2009502687.tif 000017
【図１７】
2009502687.tif 000018
【図１８】
2009502687.tif 000019
【図１９】
2009502687.tif 000020
【図２０】
2009502687.tif 000021
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
カートン（１５０）であって、
背部パネル（１０）と、
頂部パネル（２０）と、
前部パネル（３０）と、
底部パネル（４０）と、
第１の端部パネル（１６２）と、
第２の端部パネル（１６４）と、
前記頂部パネル（２０）及び前記前部パネル（３０）に配置されて取出部／スタンド（１００）を画定する取出部／スタンドパターン（６０）であって、該カートン（１５０）を、前記取出部／スタンド（１００）が取出口を与えると共に該カートン（１５０）を傾斜位置に支持する取出構造にすることができる取出部／スタンドパターン（６０）と
を備え、
前記取出部／スタンドパターン（６０）は、頂部取出部／スタンドパネル（１０２）、及び折り曲げ可能に接続された複数の前部取出部／スタンドパネル（１０４、１０６、１０８）を画定し、該前部取出部／スタンドパネル（１０４、１０６、１０８）は、横方向折り線に沿って接続され、且つ
前記複数の前部取出部／スタンドパネル（１０４、１０６、１０８）は、横方向折り線に沿って前記頂部パネル（２０）に接続されているカートン（１５０）。
【請求項２】
前記複数の前部取出部／スタンドパネル（１０４、１０６、１０８）は、少なくとも３つの折り曲げ可能に接続された前部取出部／スタンドパネル（１０４、１０６、１０８）を含む請求項１に記載のカートン（１５０）。
【請求項３】
前記取出部／スタンドパターン（６０）は、前記前部パネル（３０）に折り曲げ可能に取り付けられたまま残しながら、前記取出部／スタンド（１００）を前記頂部パネル（２０）から、及び前記前部パネル（３０）の部分から引き裂くことができるようにする請求項１又は２に記載のカートン（１５０）。
【請求項４】
前記底部パネル（４０）に少なくとも１つの保持構成要素部（９４、９６）をさらに備え、該少なくとも１つの保持構成要素部は、前記取出部／スタンド（１００）の一部分に係合することができる寸法及び配置になっている請求項１〜３のいずれか１項に記載のカートン（１５０）。
【請求項５】
前記頂部パネル（２０）と前記第１の端部パネル（１６２）との間の第１のダイヤモンド形隅部パネルと、
前記頂部パネル（２０）と前記第２の端部パネル（１６４）との間の第２のダイヤモンド形隅部パネルと
をさらに備える請求項１〜４のいずれか１項に記載のカートン（１５０）。
【請求項６】
前記第１の端部パネル（１６２）は、複数の第１の端部フラップを有し、前記第２の端部パネル（１６４）は、複数の第２の端部フラップを有する請求項５に記載のカートン（１５０）。
【請求項７】
該カートン（１５０）に収容される複数の容器であって、前記頂部パネル（２０）にほぼ平行に延在する長軸線を有する複数の容器をさらに備える請求項６に記載のカートン（１５０）。
【請求項８】
前記取出部／スタンドパターン（６０）は、少なくとも１つのタブ切り欠きを画定する請求項５又は６に記載のカートン（１５０）。
【請求項９】
該カートン（１５０）に収容される複数の容器であって、前記頂部パネル（２０）にほぼ平行に延在する長軸線を有する複数の容器をさらに備える請求項１〜８のいずれか１項に記載のカートン（１５０）。
【請求項１０】
カートン（１５０）を取出構造にする方法であって、
請求項４に記載のカートン（１５０）を準備すること、
前記頂部取出部／スタンド（１０２）を前記頂部パネル（２０）から引き裂くこと、
前記前部取出部／スタンドパネル（１０４、１０６、１０８）が前記前部パネル（３０）に取り付けられたまま残るように、該前部取出部／スタンドパネル（１０４、１０６、１０８）を該前部パネル（３０）の一部分から引き裂くこと、及び
前記取出部／スタンド（１００）を前記少なくとも１つの保持構成要素部に係合させること
を含む方法。
【請求項１１】
カートンブランク（８）であって、
背部パネル（１０）と、
頂部パネル（２０）と、
前部パネル（３０）と、
底部パネル（４０）と、
少なくとも１つの第１の端部フラップと、
少なくとも１つの第２の端部フラップと、
前記頂部パネル（２０）及び前記前部パネル（３０）に配置されて取出部／スタンド（１００）を画定する取出部／スタンドパターン（６０）であって、該取出部／スタンドパターン（６０）は、前記頂部パネル（２０）に頂部取出部／スタンド（１０２）を、且つ、前記前部パネル（３０）に折り曲げ可能に接続される複数の前部取出部／スタンドパネル（１０４、１０６、１０８）を画定する取出部／スタンドパターン（６０）と
を有し、
前記前部取出部／スタンドパネル（１０４、１０６、１０８）は、横方向折り線に沿って接続され、且つ
前記複数の前部取出部／スタンドパネル（１０４、１０６、１０８）は、横方向折り線に沿って前記頂部取出部／スタンド（１０２）に接続されるカートンブランク。
【請求項１２】
前記取出部／スタンドパターン（６０）は、前記前部パネル（３０）に折り曲げ可能に取り付けられたまま残しながら、前記取出部／スタンド（１００）を前記頂部パネル（２０）から、及び前記前部パネル（３０）の部分から引き裂くことができるようにする請求項１１に記載のカートンブランク。
【請求項１３】
前記底部パネル（４０）に少なくとも１つの保持構成要素部（９４、９６）をさらに備え、該少なくとも１つの保持構成要素部は、前記取出部／スタンド（１００）の一部分に係合することができる寸法及び配置になっている請求項１１又は１２に記載のカートンブランク。
【請求項１４】
前記頂部パネル（２０）と前記第１の端部パネル（１６２）との間の第１のダイヤモンド形隅部パネルと、
前記頂部パネル（２０）と前記第２の端部パネル（１６４）との間の第２のダイヤモンド形隅部パネルと
をさらに備える請求項１２又は１３に記載のカートンブランク。
【請求項１５】
前記取出部／スタンドパターン（６０）は、前記頂部パネル（２０）に少なくとも１つのタブ切り欠きを画定する請求項１２〜１４のいずれか１項に記載のカートンブランク。
【手続補正２】
【補正対象書類名】明細書
【補正対象項目名】０００３
【補正方法】変更
【補正の内容】
【０００３】
本発明の第１の実施の形態によれば、カートンは、背部パネルと、頂部パネルと、前部パネルと、底部パネルと、第１の端部パネルと、第２の端部パネルと、頂部パネル及び前部パネル内に配置される取出部／スタンドパターンとを備える。取出部／スタンドパネルは、取出部／スタンドを画定する。カートンを、取出部／スタンドが取出口を与えると共にカートンを傾斜位置に支持する取出構造にすることができる。各物品は、頂部パネルにほぼ平行に延在する長軸を有する。
【手続補正３】
【補正対象書類名】明細書
【補正対象項目名】０００７
【補正方法】変更
【補正の内容】
【０００７】
本発明の別の実施の形態によれば、カートンブランクは、背部パネルと、頂部パネルと、頂部パネルに折り曲げ可能に接続される前部パネルと、底部パネルと、少なくとも１つの第１の端部フラップと、少なくとも１つの第２の端部フラップと、頂部パネル及び前部パネル内に配置されて取出部を画定する第１の取出部パターンとを備える。取出部パターンは、頂部パネル内に頂部取出部パネルを、また、前部パネル内に前部取出部パネルを画定する。
【国際調査報告】
2009502687.tif 000022
2009502687.tif 000023
2009502687.tif 000024
2009502687.tif 000025
2009502687.tif 000026